【手続補正書】
【提出日】平成16年12月9日(2004.12.9)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、着用体及び交換体を有するパンツタイプ吸収性物品、パンツタイプ吸収性物品の着用体及び吸収性物品の交換体、パンツタイプ吸収性物品の製造方法、ならびにパンツタイプ吸収性物品の取り替え方法に関する。
【０００２】
【従来の技術】
一般的に、下着としてのパンツあるいは使い捨てパンツは、局部、下腹部および臀部を覆うために、ウエスト開口部および左右一対のレッグ開口部を有するように形成されている。かかるパンツは、ウエスト開口部の縁からレッグ開口部上端に至る長さ範囲の胴回り領域と、前側のレッグ開口部上端から後側のレッグ開口部上端に至る長さ範囲の股部領域とに概念的に区別でき、両領域は一体的なものとされている。
【０００３】
【発明が解決しようとする課題】
しかしながら、上記のような一般的なパンツでは、失禁のおそれのある人にとっては不都合がある。すなわち、パンツ全体をおろして排尿するのに間に合わずに失禁してしまった場合には、パンツ全体を取り替えて洗濯する必要があり、非常に煩雑となっている。
【０００４】
このため紙おむつ等のパンツタイプ吸収性物品が開発され、利用されている。このパンツタイプ吸収性物品の外形はウエスト開口部および左右一対のレッグ開口部を有する点では上記の一般的なパンツと同じである。かかるパンツタイプ吸収性物品においては、一回限りの使い捨て利用のほか、特に大人用では、いわゆるアウター紙おむつの内側に使い捨て交換体（パッド）を挿入して使用する利用形態が主流である。
【０００５】
しかし、かかる従来のパンツタイプ紙おむつでは、全体または交換体の使い捨てが可能であるため洗濯の労から開放されるものの、失禁してしまった場合には紙おむつ全体を脱いで取り替えるか、或いは紙おむつを一旦膝上まで降ろし、排泄物で汚れた交換体を新しい交換体に交換する必要があるため、この交換作業に大変な労力を必要とするという問題点が残されている。
【０００６】
さらに、上記従来のパンツまたはパンツタイプ吸収性物品では、全体を膝上までおろさなくては排泄器官部分を開放することができないため、すばやく排泄可能な状態にするのが困難であり、この点においても失禁のおそれのある人にとって不都合となっている。
【０００７】
したがって、本発明の主たる課題は、パンツを下ろさなくても交換体を交換できるようにし、交換者の労力を軽減すること、ならびに迅速かつ容易に排泄器官部分を開放できるようにすることにある。
【０００８】
【課題を解決するための手段】
上記課題を解決した本発明は次記のとおりである。
＜請求項１項記載の発明＞
ウエスト開口部および左右一対のレッグ開口部を有するパンツタイプ吸収性物品であって、
ウエスト開口部の縁からレッグ開口部上端に至る長さ範囲の胴回り領域をなし、かつ前側のレッグ開口部上端から後側のレッグ開口部上端に至る長さ範囲の股部領域を有しない、着用体と、
股部領域をなし、体液を吸収保持する交換体とからなり、
前記交換体が前記着用体に対して着脱可能なように構成したことを特徴とするパンツタイプ吸収性物品。
【０００９】
（作用効果）
Ａ．交換体は、少なくとも排泄物の吸収部または全体が、着用体に対して着脱可能である。したがって、排泄があった場合、着用体を着用したまま、着用体から交換体を脱着させ、新しい交換体と取り替えて着用体に装着させることができる。よって、介護者や物品装着者が容易にかつ少ない労力で交換体を交換できる。
【００１０】
Ｂ．着用体は、ウエスト開口部の縁からレッグ開口部上端に至る長さ範囲の胴回り領域をなし、かつ前側のレッグ開口部上端から後側のレッグ開口部上端に至る長さ範囲の股部領域を有しないものであるため、あわててトイレへ駆け込んだ場合でも交換体の一部または全部を着用体から取り外すことで、股部を迅速かつ容易に開放できる。
【００１１】
Ｃ．交換体を開放して排泄を行うとき或いは失禁してしまったときでも、着用体は股部領域を有しないため、排泄物により汚れてしまうといった事態になり難い。
【００１２】
＜請求項２項記載の発明＞
前記交換体の前後両端部が前記着用体の前後各下端部に対して機械的面ファスナーシステムにより着脱可能とされている、請求項１に記載のパンツタイプ吸収性物品。
【００１３】
＜作用効果＞
交換体を着用体に対して機械的ファスナーシステムにより着脱可能とすることにより、交換作業がきわめて簡単になる。
【００１４】
＜請求項３項記載の発明＞
前記交換体の外面の前後両端部に前記機械的面ファスナーシステムの一方の面ファスナー部材が固定され、かつ前記着用体の内面の前後各下端部に他方の面ファスナー部材が固定された、請求項２記載のパンツタイプ吸収性物品。
【００１５】
（作用効果）
かかる構成とすると、交換体と着用体との取付部分が着用体の内側に隠れるため見栄えが良くなる。
【００１６】
＜請求項４項記載の発明＞
前記交換体の内面の前後両端部に前記機械的面ファスナーシステムの一方の面ファスナー部材が固定され、かつ前記着用体の外面の前後各下端部に他方の面ファスナー部材が固定された、請求項２記載のパンツタイプ吸収性物品。
【００１７】
（作用効果）
かかる構成とすると、交換体が着用体の外側にあるため、交換体の着脱が容易になる利点がある。
【００１８】
＜請求項５項記載の発明＞
前記機械的面ファスナーシステムは、同一の接合面に係止突起および係止受けの双方を有する面ファスナー部材相互を接合するものである、請求項２〜４のいずれか１項に記載のパンツタイプ吸収性物品。
【００１９】
（作用効果）
かかる機械的面ファスナーシステムは、係止突起しか有しない面ファスナー部材と係止受けしか有しない面ファスナー部材とにより接合を行うものと比較して強力な接合が可能になる。よって、これを用いた請求項５記載のパンツタイプ吸収性物品では、交換体を着用体に対してよりしっかりと固定することができる。
【００２０】
＜請求項６項記載の発明＞
前記交換体は股間部相当部の両側部に脚周り方向に沿う曲線状部を有し、
前記着用体の幅をＷ1とし、前記交換体の最大幅をＷ2とし、前記交換体の最小幅をＷ3としたとき、
Ｗ1  ＞  Ｗ2  ＞  Ｗ3  であり、
Ｗ2  ＞  Ｗ1／２  であり、
Ｗ3はＷ2の３０〜８０％である、
条件を満足するように構成された、請求項１〜５のいずれか１項に記載のパンツタイプ吸収性物品。
【００２１】
（作用効果）
かかる形状とすることにより、胴回り及び脚周りのフィット性が極めて良好となる。なお、本発明の幅Ｗ1、Ｗ2、Ｗ3は、着用体および交換体を完全に広げた状態、すなわちそれらが弾性部材や素材の特性、形状的特長により収縮しているときにはその収縮のない状態まで広げた状態における幅をいう。
【００２２】
＜請求項７項記載の発明＞
ウエスト開口部および左右一対のレッグ開口部を有するパンツタイプ吸収性物品にあって、ウエスト開口部の縁からレッグ開口部上端に至る長さ範囲の胴回り領域をなすものであり、かつ前側のレッグ開口部上端から後側のレッグ開口部上端に至る長さ範囲の股部領域を有しないものであり、
股部領域をなし且つ体液を吸収保持する交換体が着脱可能に装着されるものであることを特徴とするパンツタイプ吸収性物品の着用体。
【００２３】
＜作用効果＞
かかる着用体により、前述の利点を有するパンツタイプ吸収性物品を得ることができる。
【００２４】
＜請求項８項記載の発明＞
前身頃胴回り部分と後身頃胴回り部分とからなり、各胴回り部分は一枚または複数枚の不織布からなり弾性部材が取り付けられて弾性伸縮機能が付与された帯状シート、あるいは弾性部材を有せず素材自体の特性により弾性伸縮する不織布からなる帯状シートからなり、前身頃胴回り部分の両側部と後身頃胴回り部分の両側部とが接合されて形成された、請求項７記載のパンツタイプ吸収性物品の着用体。
【００２５】
＜作用効果＞
かかる着用体は、一般的な使い捨ておむつと同様の素材を用いており、ローコストで製造できるため使い捨てとすることができる利点がある。
【００２６】
＜請求項９項記載の発明＞
ウエスト開口部および左右一対のレッグ開口部を有するパンツタイプ吸収性物品にあって、前側のレッグ開口部上端から後側のレッグ開口部上端に至る長さ範囲の股部領域をなすものであり、かつ体液を吸収保持するものであり、
ウエスト開口部の縁からレッグ開口部上端に至る長さ範囲の胴回り領域をなし且つ股部領域を有しない着用体に対して、着脱可能に装着されるものであることを特徴とするパンツタイプ吸収性物品の交換体。
【００２７】
（作用効果）
かかる交換体により、前述の利点を有するパンツタイプ吸収性物品を得ることができる。
【００２８】
＜請求項１０項記載の発明＞
外面が不織布により形成された、請求項９記載のパンツタイプ吸収性物品の交換体。
【００２９】
（作用効果）
交換体の外面を不織布とすることにより、より下着に近い外観及び肌触りを得ることができる。
【００３０】
＜請求項１１項記載の発明＞
両側部および前後両端部に起立カフスがそれぞれ設けられた、請求項９または１０記載のパンツタイプ吸収性物品の交換体。
【００３１】
（作用効果）
このように起立カフスを設けることにより、交換体上に排泄された体液が交換体の周囲に漏れ出るのを防止できる。
【００３２】
＜請求項１２項記載の発明＞
ウエスト開口部および左右一対のレッグ開口部を有し、
ウエスト開口部の縁からレッグ開口部上端に至る長さ範囲の胴回り領域をなす着用体と、
股部領域をなし、体液を吸収保持する交換体とからなり、
前記交換体が前記着用体に対して機械的面ファスナーシステムにより着脱可能なように構成されたパンツタイプ吸収性物品の製造方法であって、
（イ）透液性表面層と不透液性裏面層との間に、液体を吸収保持する吸収材を挟んで前記交換体を形成するとともに、この交換体に対し前記機械的面ファスナーシステムの一方の面ファスナー部材を固定する工程と、
（ロ）弾性部材を有する、前身頃胴回り部分をなす前身頃胴回り部帯状体および後身頃胴回り部分をなす後身頃胴回り部帯状体それぞれ形成するとともに、これら帯状体に対し前記機械的面ファスナーシステムの他方の面ファスナー部材をそれぞれ固定する工程と、
（ハ）前身頃胴回り部帯状体および後身頃胴回り部帯状体を幅方向に所定の間隔をもって平行に配置し、これら両胴回り部帯状体間に跨るように前記交換体を載置し、対応する面ファスナー部材相互を接合する工程と、
（ニ）前記接合した交換体および両胴回り部帯状を、交換体の股間部相当部を境に２つ折状に折り曲げるとともに、両胴回り部帯状体相互を重ね合わせる工程と、
（ホ）重ね合わせた前記両胴回り部帯状体を長手方向所定位置において所定寸法に裁断し、かつこの裁断により形成される両端部を接合して前記着用体を形成する工程と、
を含むことを特徴とするパンツタイプ吸収性物品の製造方法。
【００３３】
（作用効果）
かかる製造方法により請求項１〜１１記載のパンツタイプ吸収性物品（およびこれに類似する構成のもの）を容易に製造することができる。
【００３４】
＜請求項１３項記載の発明＞
ウエスト開口部および左右一対のレッグ開口部を有するパンツタイプ吸収性物品の取り替え方法であって、
前記パンツタイプ吸収性物品は、ウエスト開口部の縁からレッグ開口部上端に至る長さ範囲の胴回り領域をなし、かつ前側のレッグ開口部上端から後側のレッグ開口部上端に至る長さ範囲の股部領域を有しない、着用体と、
股部領域をなし、体液を吸収保持する交換体とからなり、
前記交換体は前記着用体に対して着脱可能であり、
前記着用体に対して旧交換体を取り外して新交換体を装着して取り替えを行うことを特徴とするパンツタイプ吸収性物品の取り替え方法。
【００３５】
（作用効果）
かかる方法により、介護者や物品装着者が容易にかつ少ない労力での交換体の交換、ならびに排泄の際の股部の迅速かつ容易な開放が可能となる。
【００３６】
【発明の実施の形態】
以下本発明の実施の形態を図面を参照しながらさらに詳説する。
図１は製品の等角投影図であり、図２はパンツタイプ紙おむつ例の展開状態の使用面側からの視図であり、図３及び図４はそれぞれ図２のI-I断面図、II-II断面図であり、図５は交換体取外し状態を示す図である。
【００３７】
ここに、図１及び図２を用いておむつ各部名称の意味について説明すると、先ず、「縦方向」（「長手方向」）とは、前身頃Ｆ側と後身頃Ｂ側を結ぶ方向を意味し、「周方向」とは前記縦方向と直交する方向（または製品幅方向）を意味する。「ウエスト開口縁」とはウエスト開口部ＷＯの縁を意味し、「レッグ開口縁」とはレッグ開口部ＬＯの縁を意味する。「レッグ開口始端」とはレッグ開口部ＬＯのレッグ開口縁と接合部３０とが交差する位置を意味し、レッグ開口縁の始まり個所の意味である。「胴周り領域」Ｔとは、ウエスト開口縁からレッグ開口始端に至る長さ範囲の全体領域を意味する。胴周り領域Ｔは、概念的に「ウエスト部」Ｗと「腰下部」Ｕとに分けることができる。これらの縦方向の長さは、製品のサイズによって異なる。「股部領域」Ｌとは、レッグ開口部ＬＯを形成する範囲、すなわち前身頃Ｆ側のレッグ開口始端から後身頃側Ｂのレッグ開口始端に至る長さ範囲の全体領域を意味する。また、「中央部」とは、製品の中央線を含む側部を除く中間領域を意味する。「脇部」とは、胴周り領域Ｔにおける両側部を意味する。
【００３８】
次に構造について説明する。本発明のパンツタイプ吸収性物品は、胴回り領域Ｔをなし且つ股部領域Ｌを有しない着用体１０と、股部領域Ｌをなし且つ体液を吸収保持する交換体２０とからなり、交換体２０が着用体１０に対して着脱可能なように構成したことを骨子とするものであり、この要件のもとで以下に述べるような各種形態を採ることができる。
【００３９】
＜第１の実施の形態＞
図１〜図５は第１の実施形態を示している。着用体１０は、図４にも示されるように、おむつ外面をなす外装シート１１から主に構成されている。外装シート１１は、たとえば２枚の撥水性不織布１１ａ，１１ａからなり、それらの間に縦方向両端部に細い糸ゴムなどからなる弾性部材１２，１２…が弾性伸縮可能に設けられている。着用体１０は、排泄物の排泄液を保持するたとえば綿状パルプなどの吸収材を有しないものとするのが望ましく（吸収材を設けることもできる）、この場合、吸収材の存在によるモコモコ感から解放され、良好な装着感が得られる。着用体１０は、前身頃Ｆと後身頃Ｂとの両側縁部の縦方向全体を超音波シールや熱溶融などの繊維溶着手段により接合部３０をもって接合され、これにより図４に示すように筒状となり、ウエスト開口部ＷＯが形成される。
【００４０】
これに対して交換体２０は、例えば、ポリエチレンシート等のプラスチック製シートなどからなる不透液性裏面層２１と、排泄液を透過するたとえば不織布、透液開口を有するフィルム、ネットシートなどからなる透液性表面層２２と、これらの間に介在された吸収材２３とから構成される。吸収材２３としては綿状パルプを主体とし、必要に応じて高吸水性ポリマーを含有させ、これらをクレープ紙等により包んだものを好適に用いることができる。本形態の交換体２０は、長手方向略中央の両側部が若干脚周りに沿う弧状に切りかかれ、この弧状部２０Ｒ，２０Ｒの前後両端部は矩形状をなす形状となっている。この弧状部２０Ｒ，２０Ｒは本発明の曲線状部に相当するものであり、いくつかの直線からなる屈曲状であっても良い。
【００４１】
交換体２０に対しては、好ましくは図示のように両側部、特に吸収材２３の両側端位置に起立カフス２４，２４がそれぞれ設けられる。起立カフス２４は、起立シート２４Ａの外側部を表面層２２または裏面層２１に固定し、内側部を自由起立部としたもので、起立シート２４Ａの先端の袋状部に適宜本数の細い糸ゴムなどからなる弾性部材２４Ｂが弾性伸縮可能に設けられたもので、その弾性部材２４Ｂの収縮力により自由起立部が使用面側に起立するように構成されている。かかる起立カフス２４により排泄物の横漏れが防止される。図示しないがこの両側部起立カフス２４とともに、またはこれに替えて前後両端部に起立カフスを設けることもでき、この場合排泄物の縦方向移動範囲が規制され、着用体１０が汚れたり前後漏れしたりし難くなる。
【００４２】
他方、本発明では前述のように、着用体１０に対して交換体２０が着脱可能に装着される。このため本第１の実施形態では、交換体２０の内面の前後両端部に対し幅方向略全体にわたりループファスナー４２、４２が固定され、かつこれらの位置に対応して、着用体１０の前身頃Ｆ及び後身頃Ｂの外面における各下端部中央にフックファスナー４１、４１が固定されている。この場合、交換体２０の起立カフス２４，２４は前後両端部においてループファスナー４２，４２の裏面と透液性表面層２２との間に挟まれ起立は不可能となる。
【００４３】
したがって、本第１の実施の形態においては、図１の交換体２０取付状態と図５の取外し状態の対比からも容易に理解できるように、交換体２０を、そのループファスナー４２、４２をフックファスナー４１、４１に対して機械的に係合して、着用体１０に連結固定した状態で使用に供する。この状態でレッグ開口部ＬＯが形成される。そしてこの状態で、交換体２０と共に着用体１０を股間部に着用しても良いし、先ず着用体１０を腹巻のように着用した後に、交換体２０を股の下を通して装着することもできる。
【００４４】
失禁等により交換体２０を装着した状態で排泄があった場合、適宜の時点で、着用体１０を着用したまま、図５に示すように着用体１０から交換体２０を取り外す。この取外しは、ループファスナー４２、４２をフックファスナー４１、４１から外すことにより容易に行うことができる。汚れた交換体２０を新しい交換体と取り替えて、これを着用体１０に装着させる。
【００４５】
かかる交換作業は、介護者や物品装着者にとって容易にかつ負担が少ないものとなる。さらに、着用体１０は股部領域Ｌを有しないため、排泄物により汚れてしまうといった事態になり難い。
【００４６】
他方、トイレにおいて通常の排泄を行うときには、着用体１０は着用位置のままで交換体２０の一部または全部を着用体１０から取り外すことで、股部を迅速かつ容易に開放でき、あわててトイレへ駆け込んだ場合でも排泄に間に合わせることができるようになる。
【００４７】
＜第２の実施の形態＞
第２の実施形態は図６〜１０に示されている。第２の実施形態と第１の実施の形態との相違点を挙げれば下記のとおりである。その他の構成は基本的に共通するので説明を省略する。
（ａ）交換体２０の外面の前後両端部に対し幅方向略全体にわたりフックファスナー４１、４１…が固定され、かつこれらの位置に対応して、着用体１０の前身頃Ｆ及び後身頃Ｂの内面における各下端部中央にループファスナー４２、４２…が固定されている点。
（ｂ）交換体２０の両側縁の長手方向全体が脚周りに沿う弧状部２０Ｒ，２０Ｒをなしている点。
（ｃ）交換体２０の両側端部において脚周りに沿う弾性部材２５，２５が設けられ、レッグ開口部ＬＯが装着者の脚周りに良好にフィットするように構成されている点。
なお、これらの各構成は、他の実施形態に対して独立的に応用することができる。また、図面の符号は第１の実施形態と共通的に用いている。
【００４８】
かくして構成された第２の実施形態のパンツタイプ吸収性物品では、第１の実施形態のものと比べて、交換体２０と着用体１０との取付部分が着用体１０の内側に隠れるため見栄えが良くなるという利点がもたらされる。
【００４９】
＜第３の実施形態＞
第３の実施形態は図１１〜１５に示されている。第３の実施形態と第２の実施の形態との相違点を挙げれば下記のとおりである。その他の構成は基本的に共通するので説明を省略する。
（ｄ）着用体１００が、紙おむつとは異なり、織布や編物により形成されており、着用体１００にファスナー部材（この場合ループファスナー部材４２，４２）が設けられておらず、外面素材自体が交換体２０のファスナー部材（この場合フックファスナー４１，４１）と係合する点。
（ｅ）交換体２０の両側縁の長手方向全体が直線状であり、交換体２０全体として矩形をなしている点。
（ｆ）着用体１００は当初から所定の筒状に形成されており、両側部に接合部を有しない点。
（ｇ）着用体１００は周方向の締め付けのための弾性部材を有しない点。
なお、これらの各構成は、他の実施形態に対して独立的に応用することができる。また、図面の符号は着用体１００を除いて第２の実施形態と共通的に用いている。
【００５０】
特に本第３の実施形態における着用体１００の素材としては、コットン、シルク等の天然素材、合成素材など、通常下着に用いられる素材を使用できる。
【００５１】
かくして構成された第３の実施形態のパンツタイプ吸収性物品では、第２の実施形態のものと比べて、交換体２０が着用体１００の外側にあるため、交換体２０の着脱が容易になる利点がある。この利点は第１の実施形態も同様である。
【００５２】
＜各部のサイズに関して＞
前述のとおり、第１および第２の実施形態のように、交換体２０の両側縁が脚周りに沿う弧状をなしていると、脚周りのフィット性が好ましくなるため好ましい。この場合、図１６に示すように、着用体１０の幅をＷ1とし、交換体２０の最大幅（図示例では曲線状部２０Ｒを有しない部分の幅）をＷ2とし、交換体２０の最小幅（図示例では曲線状部２０Ｒを有する部分の最小幅）をＷ3としたとき、
Ｗ1  ＞  Ｗ2  ＞  Ｗ3  であり、
Ｗ2  ＞  Ｗ1／２  であり、
Ｗ3はＷ2の３０〜８０％である、
条件を満足するように着用体１０及び交換体２０を構成すると、特にフィット性が良好になるため好ましい。
【００５３】
特に好ましいのは、Ｗ1が３０〜６５ｃｍ、Ｗ2が２５〜６０ｃｍ、Ｗ3８〜３０ｃｍの範囲である。
【００５４】
＜製造方法について＞
他方、上記のパンツタイプ吸収性物品のほか、これに類似する構成のもの、例えば着用体１０が股部領域の上端部までをも形成するようなものは、図１７に示す方法により容易に製造することができる。
【００５５】
（イ）すなわち、不透液性裏面層２１と透液性表面層２２との間に、液体を吸収保持する吸収材２３を挟んで交換体２０を形成するとともに、この交換体２０に対し機械的面ファスナーシステムの一方の面ファスナー部材、例えばループファスナー４２、４２を固定する。
（ロ）この一方で、長手方向に沿う適宜本数の弾性部材１２を両側端部にそれぞれ有する帯状体ＳＴを幅方向略中央に於いて切断し、前身頃胴回り部分をなす前身頃胴回り部帯状体１０Ｆおよび後身頃胴回り部分をなす後身頃胴回り部帯状体１０Ｂをそれぞれ形成するとともに、これら帯状体１０Ｆ，１０Ｂに対し機械的面ファスナーシステムの他方の面ファスナー部材、例えばフックファスナー４１、４１をそれぞれ固定する。これらの帯状体１０Ｆ，１０Ｂは長手方向に沿って連続的にライン上を搬送される。
（ハ）しかる後、ライン上を搬送されてくる前身頃および後身頃胴回り部帯状体１０Ｆ，１０Ｂを幅方向に所定の間隔をもって平行に配置し、これら両胴回り部帯状体１０Ｆ，１０Ｂ間に跨るように交換体２０を載置し、対応する面ファスナー部材４１、４２相互を接合する。
（ニ）次いで、接合した交換体２０および両胴回り部帯状体１０Ｆ，１０Ｂを、交換体２０の股間部相当部を境に２つ折状に折り曲げるとともに、両胴回り部帯状体相互１０Ｆ，１０Ｂを重ね合わせる。この折り曲げもライン上で連続的に行われる。
（ホ）そして、ライン上を搬送されてくる重ね合わせられた状態の両胴回り部帯状体１０Ｆ，１０Ｂを長手方向所定位置において所定寸法に裁断し、かつこの裁断により形成される両端部を接合して着用体１０を形成する。接合部は符号３０により示されている。
かくして、着用体１０に交換体２０が装着された状態のパンツタイプ吸収性物品が連続的に製造できる。
【００５６】
＜その他＞
（１）交換体２０は、予想される失禁量に応じて使い分けが可能なように、たとえば５０ｃｃ用、１００ｃｃ用、１５０ｃｃ用、３００ｃｃ用、４５０ｃｃ用、６００ｃｃ用といった吸収量の異なるものを準備することができ、必要に応じ、装着者の身体へのフィット性を良くすることができる。
【００５７】
（２）上記実施形態では交換体２０の装着手段として機械的面ファスナーシステム４１，４２を用いたが、この他にもボタン、ホック、ジッパーのような機械的合わせ止め手段や、繰り返し剥離・粘着可能な粘着材も用いることができる。またこれらの中から適宜選択し、一つの物品において複数種の交換体装着手段を併用（例えば面ファスナーと粘着材）することができる。
【００５８】
（３）上記実施形態では交換体２０に起立カフス２４を設けているが、本発明では起立カフス２４を省略することもできる。
【００５９】
（４）他方、交換体２０は、その大きさ及び形状は適宜選択できる。その裏面層２１は、肌触りが良好な不織布などを用いるのが望ましい。交換体２０の裏面の適宜の位置に排泄の有無を介護者に知らせる当業界で公知のいわゆる「おしらせマーク」を設けるのが望ましい。
【００６０】
（５）上記実施形態の機械的面ファスナーシステム４１，４２において、フックファスナー４１とループファスナー４２とは、逆の位置関係でもよい。さらに、フックファスナー４１と対向する面が不織布などのループ性の材質面である場合、ループファスナー４２を設けることなく、そのたとえば不織布面にフックファスナーを係合することができる（第３の実施形態）。フックファスナー４１及びループファスナー４２自体の形状などは、各種公知のものを使用できる。
【００６１】
（６）本発明の吸収材２３としては、着用者の肌に対してゴツゴツした感じをもたせることなく尿などの液体を吸収し保持できるものであれば如何なるものでも良い。吸収材２３は吸収性物品の分野で用いられる液体吸収性素材を適宜のサイズ・形状（例えばＴ字形、ひょうたん形、砂時計形）に形成して得ることができる。吸収材の構造としては多種多様なものを用いることができる。具体的に例示すると、NovaThin（Rayonier社製）のようなエアレイド吸収体（高吸収性ポリマー含有量２０〜６０重量％）や、高吸収性ポリマーを不織布に固定したMegaThin（JATI：日本吸収体技術研究所製）のようなパルプレス吸収体といった予めシート状にされた超薄型吸収シートを使用することが好ましい。また、主として高吸水性樹脂とフラッフパルプを積繊した吸収材も用いることができる。これは、クレープ紙やSMSなどの不織布に包まれた形態とすることができる。さらに吸収材の上層には、ADLayer（アクイジションディストリビューション層）と呼ばれる浸透拡散を促進させる層を設けることができる。これは主として太デニールの不織布などによって構成される。
【００６２】
なお、上記実施形態では吸収材２３が交換体２０の略全体に存在しているが、一部でも良い。特に装着者の局部は男女で異なるので、これに合わせて局所的に吸収材２３を配置し、液透過部位などを変えて性別に対して専用とすることもできる。
【００６３】
（７）上記実施形態における交換体２０の透液性表面層２２としては、紙おむつや生理用ナプキンに通常使用される不織布シート等が好適に使用できる。
【００６４】
（８）上記実施形態における交換体２０の不透液性裏面層２１は紙おむつナプキンに通常使用されるポリエチレンシート等を用いることができ、特に透湿性を有するものが好ましく、外面に不織布が張り合わされているとさらに好ましい。
【００６５】
（９）本発明の吸収性物品は、大人用に適したものであるが、幼児用とすることもできる。
【００６６】
（１０）弾性部材は、衣類としてのパンツおよびパンツタイプ紙おむつにならって適所に設けることができる。
【００６７】
【発明の効果】
以上のとおり、本発明によれば次記の作用効果が奏せられる。
Ａ．交換体は、少なくとも排泄物の吸収部または全体が、着用体に対して着脱可能である。したがって、排泄があった場合、着用体を着用したまま、着用体から交換体を脱着させ、新しい交換体と取り替えて着用体に装着させることができる。よって、介護者や物品装着者が容易にかつ少ない労力で交換体を交換できる。
Ｂ．着用体は、ウエスト開口部の縁からレッグ開口部上端に至る長さ範囲の胴回り領域をなし、かつ前側のレッグ開口部上端から後側のレッグ開口部上端に至る長さ範囲の股部領域を有しないものであるため、あわててトイレへ駆け込んだ場合でも交換体の一部または全部を着用体から取り外すことで、股部を迅速かつ容易に開放できる。
Ｃ．交換体を開放して排泄を行うとき或いは失禁してしまったときでも、着用体は股部領域を有しないため、排泄物により汚れてしまうといった事態になり難い。
【手続補正２】
【補正対象書類名】明細書
【補正対象項目名】符号の説明
【補正方法】変更
【補正の内容】
【符号の説明】
１０，１００…着用体、２０…交換体、２１…不透液性裏面層、２２…透液性表面層、２３…吸収材、２４…起立カフス、４１…フックファスナー、４２…ループファスナー。
【手続補正３】
【補正対象書類名】図面
【補正対象項目名】図１１
【補正方法】変更
【補正の内容】
【図１１】
2003175066.tif 000001
【手続補正４】
【補正対象書類名】図面
【補正対象項目名】図１５
【補正方法】変更
【補正の内容】
【図１５】
2003175066.tif 000002